(57)【要約】  本発明は、ヒトまたは動物に呼吸運動があることを判断する方法に関する。本方法は、受動型赤外線検知器で動きを検知すること、およびこの検知器が送信した信号を解析することを含む。本発明は、呼吸運動の検知方法を実施するための機器にも関する。【選択図】図１
2015522310.tif 000002
【特許請求の範囲】
【請求項１】
患者の呼吸を監視する方法であって、
ｉ）呼吸運動を示す可能性のある少なくとも１箇所の患者の部位を標的とする少なくとも１つの受動型赤外線検知器を提供するステップ、
ｉｉ）サンプリング周波数ｆＥ（１１０）に従って、少なくとも１つの受動型赤外線検知器を発信源とする少なくとも１つの離散測定信号（２００）の列を提供するステップ、
ｉｉｉ）一連のＮ個の時間スライディングウィンドウであって、様々な連続する瞬間Ｔｉｎ，ｉから始まり、ｉが１からＮまでの整数で、各々の時間スライディングウィンドウを表し、長さΔＴ＝Ｔｆ，ｉ−Ｔｉｎ，ｉであり、Ｔｆ，ｉが時間スライディングウィンドウ番号ｉの最終時間を指す、スライディングウィンドウを規定するステップ（２１０）、
ｉｖ）同じ時間スライディングウィンドウ（３００）内にある前記離散測定信号の各々から、同じ時間スライディングウィンドウ内にある前記複数の離散測定信号（３００）に対して計算された連続成分を差し引いて、少なくとも１つの離散有用信号の時間列（４００）を得るステップ、
ｖ）時間スライディングウィンドウ番号ｉの前記時間Ｔｆ，ｉよりも前の長さΔΤｉの時間スライディングウィンドウに含まれる離散有用信号の集合に対して計算された平均振幅を基に計算された呼吸運動（４１０）のインジケータを、最終時間Ｔｆ，ｉごとに発生させるステップ
を含む、方法。
【請求項２】
−  呼吸運動を示す可能性のない少なくとも１箇所の患者の部位を標的とするか、患者の周囲を標的とする少なくとも１つの追加の受動型赤外線検知器を提供すること、
−  前記ステップｉｉ）の前記離散測定信号（２００）から、呼吸運動を示す可能性のない少なくとも１箇所の患者の部位を標的とするか、患者の周囲環境を標的とする前記少なくとも１つの追加の受動型赤外線検知器を発信源とするバックグラウンド信号を差し引くこと
からなるステップをさらに含む、請求項１に記載の方法。
【請求項３】
−  長さΔΤｉの時間スライディングウィンドウに含まれる前記離散有用信号の集合（４００）の振幅値ＲＭＳを計算すること、
−  前記振幅値ＲＭＳを、平均振幅を計算することにより呼吸運動を検知する所定閾値と比較すること
からなるステップを含む、平均振幅を計算するステップをさらに含む、請求項１または２に記載の方法。
【請求項４】
−  長さΔΤｉの時間スライディングウィンドウに含まれる前記離散有用信号の集合（４００）のスペクトル信号を生成すること（６１０）、
−  前記スペクトル信号の最大ピークを２つ判断すること（７００）、
−  前記最大ピークの周波数を、呼吸運動のもっともらしい周波数範囲と比較すること（７１０）、
−  次式に従って係数（９００）を計算すること（７２０）、
【数１】
2015522310.tif 000005
式中、
Ｈ１は、前記最も高いピークの振幅であり、
Ｈ２は、前記最も高い第２のピークの振幅であり、
Ｈｘは、前記最も高い第２のピークがゼロではないときの前記最も高い第２のピークの振幅、または前記最も高い第２のピークがゼロであるときの最も高いピークの振幅である。
−  前段のステップで得た係数（９００）と、係数を計算することにより呼吸運動を検知する所定閾値とを比較して、呼吸運動があることを判断すること
からなるステップをさらに含む、請求項３に記載の方法。
【請求項５】
−  各時間スライディングウィンドウに対して、前記時間スライディングウィンドウに含まれる離散有用信号の集合（４００）が呼吸運動の検知（５００）を示しているかどうかを識別すること
−  時間スライディングウィンドウが呼吸運動の検知がないことを示せば（６００または８００）、前記時間スライディングウィンドウを呼吸運動がないものとして分類すること、
−  所定数の連続する時間スライディングウィンドウが呼吸運動がないものとして分類されれば（６００または８００）、視覚および／または音声アラームを発動すること、
からなるステップをさらに含む、請求項１〜４のうちいずれか一項に記載の方法。
【請求項６】
前記サンプリング周波数ｆＥは、０．１Ｈｚから５０Ｈｚの間であることを特徴とする、請求項１〜５のうちいずれか一項に記載の方法。
【請求項７】
メディアンフィルタおよびローパスフィルタが前記ステップｉｉ）の前記離散測定信号の時間列（２００）に適用されることを特徴とする、請求項１〜６のうちいずれか一項に記載の方法。
【請求項８】
スライディングウィンドウの長さΔΤｉは、５から２０秒であることを特徴とする、請求項１〜７のうちいずれか一項に記載の方法。
【請求項９】
長さΔΤｉの時間スライディングウィンドウに含まれる離散有用信号の集合（４００）の平均振幅を計算することにより呼吸運動を検知する閾値は、１５０ｍＶから１６０ｍＶの間であることを特徴とする、請求項３〜７のうちいずれか一項に記載の方法。
【請求項１０】
係数により呼吸運動を検知する閾値は、１０以上であることを特徴とする、請求項４〜９のうちいずれか一項に記載の方法。
【請求項１１】
−  呼吸運動を示す可能性のある少なくとも１箇所の患者（１）の部位を標的とすることができる少なくとも１つの受動型赤外線検知器（４）、
−  前記少なくとも１つの受動型赤外線検知器（４）に対する少なくとも１つの増幅器（６）、
−  請求項１に記載のステップｉｉｉ）、ｉｖ）およびｖ）を実施するようにプログラムされた少なくとも１つの信号処理手段（７）、
−  少なくとも１つの視覚および／または音声アラーム（８）
を備える、人または動物の呼吸を監視する装置。
【請求項１２】
前記信号処理手段（７）は、請求項２、３、４、５、７または８のうちいずれか一項に記載のステップを実施するようにもプログラムされることを特徴とする、請求項１１に記載の装置。
【請求項１３】
呼吸運動を示す可能性のない身体の一部を標的とすることができるか、人の周囲環境を標的とすることができる少なくとも１つの追加の受動型赤外線検知器（１０）を備えることを特徴とする、請求項１１または１２に記載の装置。
【発明の詳細な説明】
【技術分野】
【０００１】
本発明は、患者、ヒトまたは動物の呼吸を、少なくとも１つの受動型赤外線検知器で受信した赤外波を解析することによって監視する方法に関する。本発明は、患者、ヒトまたは動物の呼吸を監視する装置にも関する。
【背景技術】
【０００２】
数年前から、徐呼吸、低呼吸または無呼吸など、とりわけ睡眠時の呼吸障害を検知する装置および方法の分野で研究が実施されている。そのため、ある程度長い期間にわたって人または動物の呼吸障害を検知して呼吸のリズムを監視するために、数多くの装置が開発されてきた。しかしながら、現在の装置および方法には一定数の欠点がある。なかには侵襲性のもの、つまり人または動物との物理的接触を必要とするものがあり、これが人または動物にとってはいくらか不快になることがあり、ひいては病院または動物病院の環境で使用される他の装置と併用できないことがある。例えば、米国特許２０１００３３１６３２号明細書に記載されている睡眠ポリグラフ装置は、呼吸障害を検知できるようにするために人または動物の腰回りに巻き付けなければならない。その他の装置は物理的接触を必要としないものだが、これらの機器は、高価なものか、例えば電磁波のような波動を放出する装置であるかのいずれかであり、後者の装置には、ヒトまたは動物の身体に病気をもたらす因子がある可能性を無視できず、この種の機器を病院または動物病院の枠組みで使用する際は、他の医療機器を妨害する可能性を無視できない。
【０００３】
国際特許第２００５０２０８１５号明細書には、人または動物の呼吸リズムの監視方法の枠組みで受動型赤外線検知器を使用することが記載されている。感度の高い受動型赤外線検知器が人または動物の周囲に配置される。これらの機器は、胸部の動きを検知し、これらの動きに関連するデータをロジックコントローラを介して増幅器に送信する。増幅器自体はアラームに連結している。どの検知器も特定の時間にわたって動きを検知しない場合、このアラームが発動され、その人を覚醒させるか、他の人にその事象を知らせることができる。
【０００４】
しかし、この装置は有用でありいくつかの利点があるものの、装置によって起こる偽陽性および偽陰性がいくつかあるため、全体的には満足のいくものではない。赤外線検知器は、感度が高いことから、強いバックグラウンドノイズを受信して信号を利用不可能にすることが多く、誤った情報を発生させる。これでは、病因が複数ある中枢性無呼吸タイプの呼吸停止がみられるなどの重大な生理的障害を検知しやすくすることを目的とする装置とは併用できない。胸部の動きによって生成される信号を、周囲環境によって生成される信号と区別するのは極めて困難であることは明らかである。任意に設定された単一の検知閾値から胸部の振幅の有無を判断することは、数々の過失を引き起こしかねない。
【先行技術文献】
【特許文献】
【０００５】
【特許文献１】米国特許２０１００３３１６３２号明細書
【特許文献２】国際特許第２００５０２０８１５号明細書
【発明の概要】
【発明が解決しようとする課題】
【０００６】
本発明の目的の１つは、人または動物の呼吸の監視に関連する問題を少なくとも部分的に解決することである。とりわけ、人または動物と一切接触させる必要がなく、より弱い呼吸運動の有無を検知できる、呼吸運動の検知装置および検知方法を提供する。
【課題を解決するための手段】
【０００７】
この目的のため、本発明による患者の呼吸を監視する方法は、
−  呼吸運動を示す可能性のある少なくとも１箇所の患者の部位を標的とする少なくとも１つの受動型赤外線検知器を提供すること、
−  サンプリング周波数ｆＥに従って、少なくとも１つの受動型赤外線検知器を発信源とする少なくとも１つの離散測定信号の列を提供すること、
−  一連のＮ個の時間スライディングウィンドウであって、様々な連続する瞬間Ｔｉｎ，ｉから始まり、ｉが各々の時間スライディングウィンドウを表す１からＮまでの整数であり、長さΔＴｉ＝Ｔｆ，ｉ−Ｔｉｎ，ｉであり、Ｔｆ，ｉが時間スライディングウィンドウ番号ｉの最終時間を指す、スライディングウィンドウを規定すること、
−  同じ時間スライディングウィンドウ内にある前記離散測定信号の各々から、同じ時間スライディングウィンドウ内にあるこの複数の離散測定信号に対して計算された連続成分を差し引いて、少なくとも１つの離散有用信号の時間列を得ること、
−  時間スライディングウィンドウ番号ｉの前記時間Ｔｆ，ｉよりも前の長さΔΤｉの時間スライディングウィンドウに含まれる離散有用信号の集合に対して計算された平均振幅を基に計算された呼吸運動のインジケータを、最終時間Ｔｆ，ｉごとに発生させること
からなるステップを含むことを特徴とする。
【０００８】
このような方法により、呼吸運動を示す可能性のある少なくとも１箇所の患者の部位を標的とする少なくとも１つの受動型赤外線検知器によって生成される離散測定信号を解析し、実際の検知と誤った動きの検知とをさらに良好に区別することができる。この方法により、強いバックグラウンドノイズがある状態で振幅の小さい信号を解析することもできる。したがって、呼吸運動がないことの検知は高精度で行われ、アラームが不適切な時期に発動されることはない。
【０００９】
本発明の特定の実施形態では、本方法は、
−  長さΔΤｉの時間スライディングウィンドウに含まれる離散有用信号の集合の値ＲＭＳを計算すること、
−  前記値ＲＭＳを、平均振幅を計算することより呼吸運動を検知する所定閾値と比較すること
からなる平均振幅の計算ステップを含む。
【００１０】
この実施形態による方法により、各時間スライディングウィンドウに対して、対象の前記時間ウィンドウの離散有用信号の集合の平均振幅を所定値と比較し、本方法の検知感度をさらに一層向上させることができる。
【００１１】
本発明のもう１つの特定の実施形態では、本方法は、時間スライディングウィンドウに含まれる離散有用信号の集合をスペクトル解析し、その後、前記時間スライディングウィンドウに含まれる離散有用信号の集合のスペクトル解析で見られた２つの最大ピークを判断するステップを含み、その後、最大ピークの周波数を所定の周波数範囲と比較し、その後、呼吸運動の有無を判断するための係数を計算するステップを含む。この実施形態により、離散有用信号の集合が、バックグラウンドノイズによって生じる信号であって、呼吸運動を示す可能性のある少なくとも１箇所の患者の部位を標的とする少なくとも１つの受動型赤外線検知器によって送信される信号と十分に区別されない場合、解析スライディングウィンドウに含まれる離散有用信号の集合を分類し、呼吸運動の有無を検知するために本方法の感度をさらに一層向上させることができる。
【００１２】
本発明は、人または動物にみられる呼吸運動の有無を検知する装置にも係る。
【００１３】
これらの態様のほか、本発明のその他の態様は、本発明の特定の実施形態に関する詳細な説明文で明らかになるであろう。
【００１４】
以下の図面を参照する。
【図面の簡単な説明】
【００１５】
【図１】本発明による装置の概略図である。
【図２】本発明による装置の特定の実施形態の概略図である。
【図３】本発明の実施方法の様々なステップを示す概略図である。
【図４】本発明による方法の特定の実施形態のステップを示す概略図である。
【図５ａ】一定の時間幅をおいた長さΔΤｉの時間スライディングウィンドウの重なりを示す概略図である。
【図５ｂ】本発明の実施方法のいくつかのステップの概略図である。
【００１６】
図面は原寸通りではない。全体的に、図中の同様の要素には同様の符号を付している。図の参照番号の存在を限定的なものと考えてはならず、これらの番号が請求項に表記されている場合も同様である。
【００１７】
定義
測定信号とは、受動型赤外線検知器が直接生成した信号である。測定信号は、フィルタリングされ、かつ／または増幅されてよい。
離散測定信号とは、所定のサンプリング周波数に従って信号を処理する機器に送信される測定信号である。
離散有用信号とは、前記離散測定信号の連続成分が差し引かれた時間スライディングウィンドウに含まれる離散測定信号である。
【００１８】
受動型赤外線検知器とは、放射熱の移動によって発生する赤外波を検知できる検知器のことだが、そのような波動の発信器のことではない。しかしながら、本発明による受動型赤外線検知器は、検知し測定した赤外波に関する情報を送信するためにプロトコルＷＩ−ＦＩまたはプロトコルＺｉｇｂｅｅに従って送信された波動などの波動を発信できる。受動型赤外線検知器の一例は、赤外線を感知する焦電素子を２つ備える検知器であってよい。２つの焦電素子は、赤外波を受信し、受信した赤外波の量に比例して信号を供給する。同じ受動型赤外線検知器の各々の焦電素子が受信する赤外波量の差が前記検知器で計算され、前記検知器は、電気信号、測定信号を生成する。通常、同じ受動型赤外線検知器の２つの焦電素子どうしの間に差があるのは、受動型赤外線センサの検知範囲内でヒトまたは動物の身体の動きが生じるときである。ヒトまたは動物の身体が動くとき、２つの焦電素子が同量の赤外波を受信することはない。よって、受動型赤外線検知器が動きを電気信号に変換する。
【発明を実施するための形態】
【００１９】
まず、本発明による装置を示す図１を参照する。本装置の少なくとも一部は、監視対象の人（１）がいるベッド（２）の近傍にある脚（９）に固定されてよい。本装置の少なくとも一部は、番外の構造物であって、ベッド（２）と一体化し、かつ／またはベッド（２）の構造自体に組み込まれた構造物に配置されてもよい。装置のこの部分は、例えば胸部または腹部のような、呼吸運動を示すことができる少なくとも１箇所の患者の部位を標的とする少なくとも１つの受動型赤外線検知器（４）を備えている。本装置は、少なくとも１つの受動型赤外線検知器（４）を支持するようになっている湾曲した支持体（３）を備えていてもよい。好ましくは、受動型赤外線検知器（４）は、少なくとも２つの圧電センサ（「デュアルセンサ」）、さらに一層好ましくは少なくとも４つの圧電センサ（「クワッドセンサ」）を備える検知器であり、圧電センサは、受動型赤外線を感知する素子である。これらの実施形態によれば、呼吸運動の検知は、複数の圧電素子がある場合はさらに一層感知しやすくなる。さらに、受動型赤外線検知器（４）が少なくとも４つの圧電センサを備えている場合、検知器の方向感知性に関する問題を軽減することが可能である。その１つまたは複数の受動型赤外線検知器（４）は、接続手段（５）によって差動増幅器（６）に連結している。差動増幅器（６）は、信号処理手段（７）に接続している。信号処理手段（７）は、本装置の近傍または本装置から遠くに位置する視覚および／または音声アラーム手段（８）に連結している。
【００２０】
呼吸運動は振幅の小さい運動であるため、少なくとも１つの受動型赤外線検知器（４）に、焦電素子の方へ入射する赤外波を集束できる手段を加えて、受動型赤外線検知器（４）の感度を向上させることが可能である。このような手段は、例えばフレネルレンズまたは放物線レンズを分割したものであってよい。このような手段によって、受動型赤外線検知器（４）の焦電素子の方へ到達する有用信号を集束させることができる。これらの手段は、当業者には公知のものであり、これ以上記載しない。このようにする代わりに、少なくとも１つの受動型赤外線検知器（４）に、検知器の中心領域に存在する波動を検知できると同時に検知器の周辺に存在する波動を検知できるレンズを加えることが可能である。例えば、水平範囲で−９０°から＋９０°、かつ垂直範囲で−８４°から＋８４°までの受動型赤外線検知器の範囲内に存在する波動を検知できるレンズなど、範囲の広いレンズを使用してよい。このようなレンズによって、受動型赤外線検知器（４）の検知範囲内に盲点範囲ができるのを回避できる（盲点範囲内ではあらゆる種類の赤外波が検知されない）。
【００２１】
受動型赤外線検知器（４）は、振幅の小さい動きに対する感度を上げるために強めてもよい。このようにすると、検知器（４）は動きに対して一層感度が高くなり、検知器の検知力が増す。そのため、検知器の感知度は、０．１から１０ＶＰＰであってよく、さらに好ましくは３から４．５Ｖｐｐであってよく、さらに一層好ましくは３．３から３．６Ｖｐｐであってよい。
【００２２】
本装置が備えることのできる受動型赤外線検知器（４）の数には制限がない。この検知器の数は、例えば１、２、３、４、５、６、７、８、９または１０個であってよい。検知器の数は、１から１０個、１から９個、１から８個、３から６個であってよい。好ましくは、検知器の数は６個で、受動型赤外線検知器（４）を２つずつ備える３つのケースに分けられる。受動型赤外線検知器（４）と、呼吸に関連する周期的な動きを示す可能性のある人または動物の身体の部位との間の距離は、２０ｃｍから２００ｃｍ、好ましくは２５ｃｍから１５０ｃｍであってよい。呼吸に関連する周期的な動きを示す可能性のある人または動物の身体の部位周りへの受動型赤外線検知器（４）の設置は、図１に示したように９０°の円弧部（３）に沿って行ってよい。「呼吸運動を示す可能性のある少なくとも１箇所の患者の部位を標的とする」とは、呼吸運動を示す可能性のある患者の部位が少なくとも１つの受動型赤外線検知器（４）の検知範囲内にあるということである。受動型赤外線検知器（４）の検知範囲は、全体的に開口部が３０°から７０°である円錐形である。この範囲は、上記に説明したようなレンズを追加して修正してよい。
【００２３】
呼吸運動は振幅の小さい運動であるため、少なくとも１つの受動型赤外線検知器から出される測定信号は、振幅の小さいものであってよい。受動型赤外線検知器に対して信号の差動増幅器（６）を使用することが可能である。この増幅器は、増幅器（６）と受動型赤外線検知器（４）との間でごく普通の接続手段（５）によって少なくとも１つの受動型赤外線検知器（４）に連結している。各々の受動型赤外線検知器（４）は、増幅器（６）に連結している。増幅器（６）は、信号処理手段（７）に連結している。増幅器（６）と信号処理手段（７）との間にはアナログ／デジタル変換器があってもよい。これらの増幅器（６）は、先行技術で公知のものである。差動増幅器（６）は、例えば作動増幅器であってよい。信号処理手段（７）は、視覚および／または音声アラーム（８）に連結している。本発明の好適に実施形態によれば、図２に示したように、患者（１）の周囲環境、または呼吸に関連する動きを示す可能性のない患者（１）の一部標的とする追加の受動型赤外線検知器（１０）がある。信号処理手段は、アナログおよび／またはデジタルの信号処理手段であってよい。好ましくは、信号処理手段はデジタル手段である。
【００２４】
次に、図３を参照する。患者の呼吸を監視する方法は、
ｉ）呼吸運動を示す可能性のある少なくとも１箇所の患者の部位を標的とする少なくとも１つの受動型赤外線検知器を提供すること、
ｉｉ）サンプリング周波数ｆＥ（１１０）に従って、少なくとも１つの受動型赤外線検知器を発信源とする少なくとも１つの離散測定信号の列（２００）を提供すること、
ｉｉｉ）一連のＮ個の時間スライディングウィンドウであって、様々な連続する瞬間Ｔｉｎ，ｉから始まり、ｉが各々の時間スライディングウィンドウを表す１からＮまでの整数であり、長さΔＴ＝Ｔｆ，ｉ−Ｔｉｎ，ｉであり、Ｔｆ，ｉが時間スライディングウィンドウ番号ｉの最終時間を指す、スライディングウィンドウを規定すること（２１０）、
ｉｖ）同じ時間スライディングウィンドウ（３００）内にある前記離散測定信号の各々から、同じ時間スライディングウィンドウ内にあるこの複数の離散測定信号（３００）に対して計算された連続成分（３１０）を差し引いて、少なくとも１つの離散有用信号の時間列（４００）を得ること、
ｖ）時間スライディングウィンドウ番号ｉの前記時間Ｔｆ，ｉよりも前の長さΔΤｉの時間スライディングウィンドウに含まれる離散有用信号の集合（４００）に対して計算された平均振幅を基に計算された呼吸運動（４１０）のインジケータを、最終時間Ｔｆ，ｉごとに発生させること
からなるステップを含む。
【００２５】
呼吸運動を示す可能性のある少なくとも１箇所の患者の部位を標的とする少なくとも１つの受動型赤外線検知器は、熱源の動きを連続的に検知し、この動きを連続的な測定信号（１００）に変換する。この連続的な測定信号（１００）は、少なくとも１つの受動型赤外線検知器（４）によって増幅器（６）に送信され、この増幅器が増幅した信号を信号処理手段（７）に送信する。測定信号の送信は、所定のサンプリング周波数ｆＥ（１１０）に従って行われ、このようにして連続的な測定信号（１００）を離散測定信号の列（２００）に変換する。よってこのステップは、連続的な測定信号（１００）のサンプリングであり、離散測定信号の列（２００）であって、所定のサンプリング周波数ｆＥ（１１０）に従って複数の連続する瞬間に明らかになった複数の信号測定値で構成される列を取得できる。この周波数ｆＥは、例えば０．１から１００ヘルツの間であってよい。好ましくは、この周波数は、０．１から５０ヘルツの間であってよい。さらに一層好ましくは、この周波数は、１から１０ヘルツの間であってよい。引き続きさらに好ましくは、周波数ｆＥは、１０ヘルツである。好ましくは、少なくとも１つの受動型赤外線検知器（４）が送信する波長範囲を選定して、赤外波の一部のみを送信することが可能である。そのため、８μｍから１４μｍまでの波長に対して連続的な測定信号（１００）のみを送信することが可能である。この波長の選定は、少なくとも受動型赤外線検知器（４）にある光学フィルタによって、かつ／または少なくとも１つの受動型赤外線検知器（４）の圧電センサにフィルタがあることによって実施でき、圧電センサは、８μｍから１４μｍまでの様々な波長に一致する信号のみを送信できる。引き続き好ましくは、特定の周波数範囲を増幅することが可能である。そのため、周波数が０．０１Ｈｚから１０Ｈｚの間、さらに一層好ましくは０．０１Ｈｚから７Ｈｚの間である信号のみを増幅することが好ましい。この好適な実施形態によれば、規定した周波数枠内にある信号のみを増幅し、これらの信号は、呼吸運動の周波数を表しているため、有用な信号である。よって、この増幅枠外にある信号は増幅されず、これによって後の有用信号の解析を向上させることができる。なぜなら、これらの信号は呼吸運動以外の現象を表しているからである。ローパスフィルタ（周波数が所定の上限未満である信号のみを維持できる）およびローパスフィルタ（周波数が所定の下限以上である信号のみを維持できる）があることによって、波長が０．０１Ｈｚから１０Ｈｚの間、さらに好ましくは０．０１Ｈｚから７Ｈｚの間である信号を選定することが可能である。このようにして選定された波動は、次に作動増幅器を介して増幅される。信号送信後の解像度を向上させるために、信号の増幅に関して遮断周波数を規定することも可能である。この作業は、送信された信号に存在するノイズを避けることが目的である。このノイズを避けるため、周波数が事前の規定値を上回っている全信号が、後に信号を解析する際に考慮されるわけではない。
【００２６】
呼吸運動を示す可能性のある少なくとも１箇所の患者（１）の部位を標的とする受動型赤外線検知器（４）が２つ以上ある場合、呼吸運動を示す可能性のある少なくとも１箇所の患者（１）の部位を標的とする各々の受動型赤外線検知器（４）は、連続的に呼吸運動を検知し、この動きを連続的な測定信号（１００）に変換する。各々の連続的な測定信号（１００）は、同じ所定のサンプリング周波数ｆＥ（１１０）に従って送信され、このようにして各々の連続的な測定信号（１００）を同数の離散測定信号の列（２００）に変換する。離散測定信号の各々の列（２００）は、その後別々に解析される。
【００２７】
一連の離散測定信号（２００）は、人（１）を監視する際に信号処理手段（７）へ送信された順に処理されてよいが、後に解析するために格納されてもよい。
【００２８】
本方法は、一連のＮ個の時間スライディングウィンドウであって、様々な連続する瞬間Ｔｉｎ，ｉから始まり、ｉが各々の時間スライディングウィンドウを表す１からＮまでの整数であり、長さΔＴ＝Ｔｆ，ｉ−Ｔｉｎ，ｉであり、Ｔｆ，ｉが時間スライディングウィンドウ番号ｉの最終時間を指す、スライディングウィンドウを規定することからなるステップを含む。Ｎは、０よりも大きい整数である。本方法のこのステップを図５ａに示している。スライディングウィンドウｉの範囲を、所定の時間幅（５０）に従った時間内のスライディングの境界（Ｔｉｎ，ｉおよびＴｆ，ｉ）内に定める。時間スライディングウィンドウの長さΔΤｉは、患者の正常な一呼吸周期の時間に応じて規定されてよい。このウィンドウは、一連の離散測定信号（２００）内の周期的特徴を得るために、患者の正常な一呼吸周期の時間を下回ってはならない。この時間スライディングウィンドウは、呼吸運動の空白をいち早く検知するために、長すぎてもいけない。このウィンドウは、サンプリング周波数ｆＥの逆数を下回ってはならない（ΔΤｉ＞１／ｆＥ）。例えば、成人の場合、人の正常な一呼吸周期の時間が５秒であれば、時間スライディングウィンドウは５秒から２０秒の間、好ましくは１０秒から１５秒の間であってよい。時間スライディングウィンドウは、所定の時間幅に従って継続される。１つの時間幅は、例えば０．５秒から４秒の間であってよく、０．５から２秒の間であってもよい。好ましくは、各時間ウィンドウどうしの間の時間幅は１秒である。よって各時間スライディングウィンドウは、離散測定信号の集合（２００）を含み、その数は時間スライディングウィンドウの長さΔΤｉおよびサンプリング周波数ｆＥに左右される。好ましくは、時間スライディングウィンドウは一定の長さΔΤｉだが、長さΔΤｉが変化する時間スライディングウィンドウを有することも可能である。よって本方法は、継続し、重なり合って各時間ウィンドウで呼吸運動のインジケータを得ることができる時間ウィンドウを決定するステップを含み、前記時間ウィンドウは、重なり合い、継続し、かつ／または時間の間隔が開いていてよい。このように、規定した時間ウィンドウには、患者または動物の呼吸の連続的な調査結果が得られる。
【００２９】
本方法は、各時間スライディングウィンドウに対して、同じ時間スライディングウィンドウ（３００）内にある各々の前記離散測定信号から、同じ時間スライディングウィンドウ（３００）内にあるこの複数の離散測定信号に対して計算された連続成分（３１０）を差し引いて、離散有用信号の少なくとも１つの時間列（４００）を得ることからなるステップを含む。本方法のこのステップを図５ｂに示している。対象ウィンドウ（３００）の離散測定信号の集合の連続成分（３１０）は、例えば、各離散測定信号を同じ時間ウィンドウ（３００）の複数の離散測定信号に対して計算されたスライド平均値に置き換えることで計算できる。例えば、連続成分を規定するために考慮すべき離散測定信号の数は、人の正常呼吸１回のリズムの時間に応じて決定されてよい。そのため、正常な一呼吸周期の時間が５秒である成人の場合、離散測定信号の集合の連続成分を計算するために考慮すべき離散測定信号の数は、約５秒の時間をカバーするのに必要な離散測定信号の数と一致していてよい。時間スライディングウィンドウの末端では、スライド平均値は、スライディングウィンドウの境界が接近しているためにそれほど重要ではないいくつかの信号に対して計算される。スライド平均値を、１５から４５のいくつかの離散測定信号（３００）に対して計算してもよい。例えば、周波数ｆＥが１０Ｈｚである場合、４５の離散測定信号（３００）を用いてスライド平均値を計算できる。各離散信号に対してこのように計算されたスライド平均値は、対象の時間スライディングウィンドウ（３００）の離散測定信号の集合の各離散信号から差し引かれて、離散有用信号の時間列（４００）が得られる。
【００３０】
本方法は、時間スライディングウィンドウ番号ｉの前記時間Ｔｆ，ｉよりも前の長さΔΤｉの時間スライディングウィンドウに含まれる離散有用信号の集合（４００）に対して計算された平均振幅を基に計算された呼吸運動（４１０）のインジケータを、最終時間Ｔｆ，ｉごとに発生させることからなるステップも含む。よってこの解析は、離散信号の解析であって、連続信号の解析ではない。よって信号は、信号の振幅を判断する、つまり呼吸運動の振幅を表す信号周波数の変動の大きさを判断することによって解析される。呼吸運動を検知するかしないかを決定づけるのは呼吸運動の大きさであって、呼吸運動の周波数ではない。呼吸の周波数は、時間スライディングウィンドウを規定する際に考慮される。本方法は、信号の振幅を解析するステップを含み、この振幅の周波数は、所定の長さの時間スライディングウィンドウであって、継続し、かつ／または所定の時間幅に従って重なり合う時間スライディングウィンドウを規定することによって間接的に考慮され、より精密でより完全な方法に到達する。したがって、本発明の方法により、振幅の小さい呼吸運動を検知することができるとともに、この運動の振幅が所定閾値を下回っている場合は、これを呼吸運動がないと称することができる。したがって、問題有りと同義語であることが多い振幅の小さい特定の呼吸運動を、呼吸運動がない状態を表すものとして分類することができる。したがって、患者または動物に振幅の小さい呼吸運動が見られれば、アラートを出してよい。
【００３１】
長さΔΤｉの時間スライディングウィンドウに含まれる離散有用信号（４００）の集合の平均振幅値に応じて、本方法は、対象の前記時間ウィンドウを、呼吸運動を検知するカテゴリ（５００）、または呼吸運動を検知しないカテゴリ（６００）に分類していく。長さΔΤｉの時間スライディングウィンドウに含まれる離散有用信号の集合の平均振幅を計算することにより呼吸運動を検知する閾値は、測定ライン（受動型赤外線検知器、増幅器）で発生するノイズに左右されるため、経験に基づいて決定されてよい。受動型赤外線検知器およびそれに関する作動増幅器の性質に応じて、呼吸運動があることを検知する閾値は、例えば制御した条件で本方法を実施することによって決定されてよい。例えば、受動型赤外線検知器Ｍｕｒａｔａ  ＩＲＡ−Ｅ７００、増幅器ＯＰＡ２３４０ＵＡがある場合、この閾値は１５０から１６０ｍＶの間である。したがって、平均振幅を計算することにより呼吸運動を検知することを決定する閾値は、１５０ｍＶ、１５１ｍＶ、１５２ｍＶ、１５３ｍＶ、１５４ｍＶ、１５５ｍＶ、１５６ｍＶ、１５７ｍＶ、１５８ｍＶ、１５９ｍＶ、または１６０ｍＶに固定されてよい。平均振幅値がこの閾値以上であれば、呼吸運動が検知されている（５００）。
【００３２】
好ましくは、最終時間幅Ｔｆ，ｉになる度に呼吸運動のインジケータ（４１０）を発生させることからなるステップでは、このインジケータは、時間スライディングウィンドウ番号ｉの前記時間Ｔｆ，ｉの直前にある長さΔΤｉの時間スライディングウィンドウに含まれる離散有用信号の集合（４００）に対して計算された平均振幅を基に計算される。
【００３３】
本発明の好適な実施形態によれば、本方法のステップｖ）での平均振幅の計算は、
−  長さΔΤｉの時間スライディングウィンドウに含まれる離散有用信号の集合（４００）の振幅値ＲＭＳを計算するステップ、
−  前記値ＲＭＳを、値ＲＭＳを計算することにより呼吸運動を検知する所定閾値と比較するステップ
を含む。
【００３４】
振幅値ＲＭＳとは、振幅の二次平均値、すなわち二乗和の平方根をその和の要素数で除算したもののことである。
【００３５】
振幅値ＲＭＳを計算するステップによって、対象の時間スライディングウィンドウに含まれる離散有用信号の集合（４００）の振動成分を測定でき、これによって対象の時間スライディングウィンドウに含まれる離散有用信号の集合（４００）で構成される信号の平均振幅を得ることができる。値ＲＭＳの計算により呼吸運動を検知する閾値は、測定ライン（受動型赤外線検知器、増幅器）で発生するノイズに左右されるため、経験に基づいて決定されてよい。受動型赤外線検知器およびそれに関する作動増幅器の性質に応じて、呼吸運動があることを検知する閾値は、例えば制御した条件で本方法を実施することによって決定されてよい。例えば、受動型赤外線検知器Ｍｕｒａｔａ  ＩＲＡ−Ｅ７００、増幅器ＯＰＡ２３４０ＵＡがある場合、この閾値は１５０から１６０ｍＶの間である。したがって、振幅ＲＭＳを計算することにより呼吸運動を検知することを決定する閾値は、１５０ｍＶ、１５１ｍＶ、１５２ｍＶ、１５３ｍＶ、１５４ｍＶ、１５５ｍＶ、１５６ｍＶ、１５７ｍＶ、１５８ｍＶ、１５９ｍＶ、または１６０ｍＶに固定されてよい。振幅値ＲＭＳがこの閾値以上であれば、呼吸運動が検知されている（５００）。
【００３６】
図４に示した本発明の好適な実施形態によれば、番外のステップがある。このステップは、
−  長さΔΤｉの時間スライディングウィンドウに含まれる離散有用信号の集合（４００）のスペクトル信号を生成すること（６１０）、
−  前記スペクトル信号の最大ピークを２つ判断すること（７００）、
−  最大ピークの周波数を、呼吸運動のもっともらしい周波数の範囲と比較すること（７１０）、
−  次式に従って係数（９００）を計算すること（７２０）、
【００３７】
【数１】
2015522310.tif 000003
【００３８】
式中、
Ｈ１は、最も高いピークの振幅であり、
Ｈ２は、最も高い第２のピークの振幅であり、
Ｈｘは、この振幅がゼロではないときの最も高い第２のピークの振幅、または最も高い第２のピークの振幅がゼロであるときの最も高いピークの振幅である。
−  前段のステップで得た係数（９００）と、係数を計算することにより呼吸運動を検知する所定閾値とを比較して、呼吸運動があることを判断すること
からなる。
【００３９】
この番外のステップは、平均振幅の解析では呼吸運動（６００）があることを検知できない場合、かつそれによって平均振幅が、時間スライディングウィンドウに含まれる離散有用信号の集合（４００）の平均振幅を計算する（４１０）ことによって呼吸運動を検知する閾値を下回っている場合に、時間スライディングウィンドウに含まれる離散有用信号の集合（４００）を解析するためにある。実際、平均振幅の解析で、時間スライディングウィンドウに含まれる離散有用信号の特定の集合に利用できる結果を出せるようにするには、バックグラウンドノイズが大きすぎることがある。このステップによって、呼吸運動の有無をさらに良好に区別できる。
【００４０】
したがって、時間スライディングウィンドウに含まれる離散有用信号の集合の平均振幅が、平均振幅の計算または値ＲＭＳ（６００）の計算により呼吸運動を検知する閾値を下回っている場合、対象の時間スライディングウィンドウに含まれる前記離散有用信号の集合（４００）に対してスペクトル解析（６１０）を実施する。このスペクトル解析は、任意数の離散有用信号（４００）に基づいて行われてよい。本発明の好適な実施形態によれば、スペクトル解析をフーリエ変換によって行うことができ、この場合、対象の時間スライディングウィンドウに含まれる離散有用信号の集合（４００）の中から、出力が２であるいくつかの信号を選定できる。この選定は、任意に行うことができる。
【００４１】
前記スペクトル信号の２つの最大ピークの周波数を判断する。最大ピークの周波数が所定の周波数範囲外であれば（７１０）、対象の時間スライディングウィンドウは、呼吸運動が検知されない（８００）ものとして解析される。この所定の周波数範囲（７１０）は、呼吸を検知するのにもっともらしい周波数範囲に一致する。例えば、成人の場合、一呼吸周期の時間は、その人の年齢および生理状態に応じて変化することがあり、１秒から５秒の間である。周波数範囲は、この場合約０．２０Ｈｚから約１Ｈｚの間、さらに好ましくは０．２３から１．０２Ｈｚの間であってよい。最大ピークの周波数が所定の前記周波数範囲に含まれていれば、上記の式に従って係数が計算される（７２０）。係数（９００）の結果が所定値以上であれば（９０１）、対象の時間スライディングウィンドウは、呼吸運動がある（５００）ものとして解析される。係数（９００）の結果が所定値未満であれば（９０２）、対象の時間スライディングウィンドウは、呼吸運動がない（８００）ものとして解析される。この係数（９００）は、呼吸運動の正しい検知を排除せずに誤った検知を排除するように、経験的に決定される。この係数（９００）は、例えば１０であってよい。
【００４２】
本発明の好適な実施形態によれば、
−  各時間スライディングウィンドウｉに対して、前記時間スライディングウィンドウに含まれる離散有用信号の集合（４００）が呼吸運動の検知（５００）を示しているかどうかを識別すること、
−  所与の時間Ｔｆ，ｉにどの時間スライディングウィンドウも呼吸運動の検知を示さない場合（６００または８００）、前記時間スライディングウィンドウｉを呼吸運動がないものとして分類すること、
−  所定数の連続する時間スライディングウィンドウが呼吸運動がないものとして分類された場合（６００または８００）、視覚および／または音声アラームを発動すること、
からなるステップがある。
【００４３】
少なくとも１つの受動型赤外線検知器それぞれに対して、各時間スライディングウィンドウを、所与の時間Ｔｆ，ｉに呼吸運動があるか（５００）、呼吸運動がない（６００または８００）と検知しているものとして解析する。受動型赤外線検知器が１つしかない場合、時間スライディングウィンドウの離散有用信号の集合（４００）の解析結果は、呼吸運動を検知するかしないかである。受動型赤外線検知器が少なくとも２つある場合、所与の時間Ｔｆ，ｉに少なくとも２つの受動型赤外線検知器のそれぞれから同時に発生する各々の時間スライディングウィンドウが解析され、最も好ましい結果が、所与の時間Ｔｆ，ｉに同時に発生する時間スライディングウィンドウの集合に対して保存される。したがって、１つの時間スライディングウィンドウが呼吸運動（５００）があると検知するものとして分類されれば、所与の時間Ｔｆ，ｉでの時間スライディングウィンドウの集合は、呼吸運動があると検知するものとして分類される。
【００４４】
所与の時間Ｔｆ，ｉに同時に発生する全時間スライディングウィンドウ、または所与の時間Ｔｆ，ｉでの唯一の時間スライディングウィンドウが、呼吸運動がない印として分析された場合（６００または８００）、その集合は、呼吸運動がないものとして分類される。連続する所定数のスライディングウィンドウの後、所与の時間Ｔｆ，ｉに、かつ各時間幅で同時に発生する時間スライディングウィンドウの連続する集合がすべて、呼吸運動がないものとして分類されれば（６００または８００）、視覚および／または音声アラームを発動するステップがある。前記アラームを発動するまでに必要な連続する時間スライディングウィンドウの数は、各解析スライディングウィンドウどうしの間の時間幅および患者に応じて決定され、呼吸運動のない時間を異常とみなした場合にアラームを発動する。例えば、成人の場合で、かつ各時間スライディングウィンドウどうしの間の時間幅が１秒である場合、連続する時間スライディングウィンドウの数は、１５から３０の間、好ましくは２０であってよい。アラームを発動するまでの最短時間は、種（ヒトまたは動物）に応じて決定されてよい。例として、成人の呼吸運動を監視している場合、この時間は、１０から６０秒の間、あるいは１０から４５秒の間、あるいは１０から３０秒の間、あるいは２０から３０秒の間であってよい。このようにする代わりに、この時間は、１０、１５、２０、２５、３０、３５、４０、４５、５０、５５または６０秒であってよい。したがって、時間スライディングウィンドウがまったく運動を検知しない時間が１０から６０秒の間、あるいは１０から４５秒の間、あるいは１０から３０秒の間、あるいは２０から３０秒の間である場合、アラームが発動される。この時間は、人または動物の正常な呼吸リズムに応じて事前に規定されてよい。この場合、この時間は、人または動物の正常呼吸の２サイクル以上であってよい。
【００４５】
本発明の実施形態では、離散測定信号（２００）を処理するステップがある。このステップは、前記離散測定信号（２００）に対してメディアンフィルタおよび平均（またはローパス）フィルタを適用することかなる。このステップにより、信号の強すぎる振動および高すぎる周波数をなくすことができ、その後の離散有用信号（４００）の解析がさらに一層向上する。例えば、メディアンフィルタは、各離散測定信号（２００）をその離散測定信号の平均値、前の離散測定信号の平均値、次の離散測定信号の平均値に置き換えることからなるものであってよい。よって各離散測定信号は、メディアンフィルタを複数の連続信号に適用して生じる中央の離散測定信号に変換される。好ましくは、平均値を計算するのに使用される連続信号の数は、３、５、７、９、１１、１３、１５、１７、１９または２１である。さらに好ましくは、平均値は、３つの連続信号を基に計算される。ローパスフィルタは、例えば各離散測定信号（２００）をその離散測定信号の値、前の離散測定信号の値、および次の離散測定信号の値に対して計算した平均値に置き換えることからなるものであってよい。
【００４６】
図２に示した本発明のさらに一層好適な実施形態によれば、呼吸運動を示す可能性のない身体の一部を標的とするか、人の周囲環境を標的とする少なくとも１つの追加の受動型赤外線検知器（１０）を提供する。この少なくとも１つの追加の受動型赤外線検知器（１０）は、サンプリング周波数ｆＥに従って、前記追加の検知器（１０）を発信源とするバックグラウンド信号と呼ばれるバックグラウンドノイズの離散測定信号の列を提供するために使用される。この検知器は、呼吸運動を示す可能性のある身体の一部を標的とする少なくとも１つの受動型赤外線検知器と同じものであってよい。
【００４７】
呼吸運動を示す可能性のない身体の一部を標的とするか、人の周囲環境を標的とする少なくとも１つの追加の受動型赤外線検知器（１０）は、例えば、呼吸運動を示す可能性のある身体の一部を標的とする少なくとも１つの受動型赤外線検知器（４）に対して実質的に垂直に向けられてよい。呼吸運動を示す可能性のない身体の一部を標的とするか、人の周囲環境を標的とする追加の受動型赤外線検知器（１０）の検知範囲は、３０から４５°までの検知範囲であってよい。換言すれば、呼吸運動を示す可能性のない身体の一部を標的とするか、人の周囲環境を標的とする少なくとも１つの追加の受動型赤外線検知器（１０）の検知範囲は、呼吸運動を示す可能性のある患者の部位の方には向いていない。呼吸運動を示す可能性のない身体の一部を標的とするか、人の周囲環境を標的とする少なくとも１つの受動型赤外線検知器の感度は、呼吸運動を示す可能性のある身体の一部を標的とする少なくとも１つの受動型赤外線検知器（４）と同等の感度であってよい。
【００４８】
この好適な実施形態では、呼吸運動を示す可能性のない身体の一部を標的とするか、人の周囲環境を標的とする追加の受動型赤外線検知器（１０）を発信源とするバックグラウンド信号を、呼吸運動を示す可能性のある身体の一部を標的とする受動型赤外線検知器を発信源とする同時発生の離散測定信号（２００）から差し引くことを含むステップがあってよい。このようにして生成された離散測定信号（２００）は次に、上記にすでに記載した本方法の様々なステップに従って解析される。
【００４９】
本発明は、人または動物の呼吸を監視する装置にも関する。図１に示したこの装置は、
−  呼吸運動を示す可能性のある少なくとも１箇所の患者（１）の部位を標的とすることができる少なくとも１つの受動型赤外線検知器（４）、
−  少なくとも１つの受動型赤外線検知器（４）に対する少なくとも１つの増幅器（６）、
−  様々な連続する瞬間Ｔｉｎ，ｉから始まり、長さがΔΤｉである一連のＮ個の時間スライディングウィンドウを規定するステップ；同じ時間スライディングウィンドウ内にある前記離散測定信号の各々から、同じ時間スライディングウィンドウ内にあるこの複数の離散測定信号に対して計算された連続成分を差し引いて、離散有用信号の時間列を得るステップ；長さΔΤｉのスライディングウィンドウに含まれる離散有用信号の集合の平均振幅を基に計算された呼吸運動のインジケータを、最終時間Ｔｆ，ｉごとに発生させるステップを実施するようにプログラムされた少なくとも１つの信号処理手段（７）、
−  少なくとも１つの視覚および／または音声アラーム（８）
を備える。
【００５０】
これらの素子は、当業者に公知のごく普通の接続手段（５）によって互い連結している。本装置は、アナログ／デジタル変換器も備えていてよい。
【００５１】
離散信号処理手段（７）は、ローカルまたは遠隔地で、光および／または音声アラーム装置（８）に連結している。このアラーム装置（８）は、信号処理手段が本方法による所定時間にわたって呼吸運動を検知しない場合に、信号処理手段（７）によって発動される。
【００５２】
本発明の好適な実施形態によれば、本装置は、本装置の他のステップを実施するようにプログラムされた離散信号処理手段（７）を備える。したがって、信号処理手段（７）は、離散測定信号からバックグラウンド信号を差し引くステップを実施するようにプログラムされてよい。信号処理手段は、離散有用信号の集合の振幅値ＲＭＳを計算し、平均振幅を計算することによって前記振幅値ＲＭＳを検知する閾値と比較するようにプログラムされてよい。信号処理手段は、離散有用信号の集合のスペクトル信号を生成し、前記スペクトル信号内にある２つの最大ピークの周波数を判断し、最大ピークの周波数を所定の呼吸運動のもっともらしい周波数範囲と比較し、次式に従って振幅の比較係数を計算し、
【００５３】
【数２】
2015522310.tif 000004
【００５４】
式中、
Ｈ１は、最も高いピークの振幅であり、
Ｈ２は、最も高い第２のピークの振幅であり、
Ｈｘは、この振幅がゼロではないときの最も高い第２のピークの振幅、または最も高い第２のピークの振幅がゼロであるときの最も高いピークの振幅である。
振幅の比較係数を、係数を計算することにより検知する所定閾値と比較する
ようにプログラムされてもよい。
【００５５】
本装置は、少なくとも１つの時間スライディングウィンドウの集合を呼吸運動がないものとして分類し、所定数の連続する時間スライディングウィンドウが呼吸運動を検知しない場合に、アラームを発動するようにプログラムされてもよい。
【００５６】
図２に示した本発明のさらに一層好適な実施形態によれば、本装置は、呼吸運動を示す可能性のない身体の一部を標的とするか、患者の周囲環境を標的とする少なくとも１つの追加の受動型赤外線検知器（１０）も備えている。
【００５７】
本方法のいくつかのステップの実施例を図５ａおよび図５ｂに示している。複数の時間ウィンドウ（ΔΤ１、ΔΤ２、ΔΤ３、ΔΤ４）が、所定の時間幅（５０）で続いている。離散測定信号（２００）の列が受動型赤外線検知器によって生成されている。対象ウィンドウｉに対して、時間間隔ΔΤｉに含まれる離散測定信号のみが解析される。ウィンドウΔΤｉに含まれるこれらの離散測定信号の各々に対して、各離散信号の平均値、前の離散信号の平均値、および次の離散信号の平均値の計算を実行して連続成分（３１０）が計算される。この連続成分（３１０）は、各離散測定信号（３００）から差し引かれ、離散有用信号の時間列（４００）を得ることができる。この列（４００）に対して平均振幅が計算される。次にこの平均振幅の値は、所定の平均振幅を計算することによって検知する閾値と比較される。
【００５８】
本発明は、ヒトまたは動物に呼吸運動があることを判断する方法に関連していると定義されてもよい。この方法は、受動型赤外線検知器で動きを検知すること、およびこの検知器が送信した信号を解析することを含む。本発明は、呼吸運動の検知方法を実施するための機器にも関する。
【図１】
2015522310.tif 000006
【図２】
2015522310.tif 000007
【図３】
2015522310.tif 000008
【図４】
2015522310.tif 000009
【図５ａ】
2015522310.tif 000010
【図５ｂ】
2015522310.tif 000011
【国際調査報告】
2015522310.tif 000012
2015522310.tif 000013
2015522310.tif 000014
2015522310.tif 000015
2015522310.tif 000016
2015522310.tif 000017